(57)【要約】【課題】  収納ケースを棚に容易且つ確実に取り付けることができる取付具を提供する。【解決手段】  収納ケースを棚に取り付けるための取付具１０であって、収納ケースの後壁６に形成された差込口８に装着される装着部２０と、棚の外枠と係合する係合部３０とを備え、装着部２０は、可撓性材料からなり、帯状体がＵ字状に湾曲された形状を有し、一対の先端部２１，２２の外表面に係止爪２３，２４がそれぞれ設けられており、係合部３０は、装着部２０の外表面から起立するように設けられ、先端にフック部３２が形成されている。  【選択図】  図２
2006326151.tif 000002
【特許請求の範囲】
【請求項１】
収納ケースを棚に取り付けるための取付具であって、
収納ケースの後壁に形成された差込口に装着される装着部と、
棚の外枠と係合する係合部とを備え、
前記装着部は、可撓性材料からなり、帯状体がＵ字状に湾曲された形状を有し、一対の先端部の外表面に係止爪がそれぞれ設けられており、
前記係合部は、前記装着部の外表面から起立するように設けられ、先端にフック部が形成されている取付具。
【請求項２】
前記係合部は、前記装着部が前記差込口に装着された状態で、前記フック部の先端が上向きとなるように構成されている請求項１に記載の取付具。
【請求項３】
前記装着部は、外表面における一方の前記係止爪の後方に、該係止爪よりも高さが高い障壁部が設けられており、
前記係合部は、前記装着部の外表面における他方の前記係止爪の後方に設けられている請求項１又は２に記載の取付具。
【請求項４】
ケース本体に引き出し部がスライド収容される収納ケースであって、
前記ケース本体は、後壁の中央下部に差込口が形成されており、
請求項１から３のいずれかに記載の取付具が前記差込口に装着された収納ケース。
【発明の詳細な説明】
【技術分野】
【０００１】
本発明は、収納ケースを棚に取り付けるための取付具、及びこれを備えた収納ケースに関する。
【背景技術】
【０００２】
ＣＤやＤＶＤなどの収納ケースとして、ケース本体から引き出しを水平方向にスライドさせて、収納物を上方へ取り出し可能に構成されたものが広く用いられている。このような収納ケースは、メタルラックなどの棚に載置されることが多いが、引き出しを開閉する際にケース本体が引き出しと一緒に移動して、スムーズな開閉ができないおそれがある。そこで、ケース本体が棚の載置面を滑らないように取付具を使用することが、従来から行われている（例えば、特許文献１）。
【０００３】
図４に示すように、特許文献１に開示された取付具５０は、板状体５１の表面から起立する可撓性のアーム部５２を複数備えており、ケース本体６０の底部に形成された受入孔６０ａにアーム部５２の先端を挿入することにより、アーム部５２が撓み変形によって受入孔６０ａの開口縁を押圧するように係合する。この取付具５０は、複数の棚桟６２ａからなる棚部材６２にケース本体６０を載置した後、隣接する棚桟６２ａ，６２ａの隙間を介してアーム部５２を受入孔６０ａに挿入することにより、板状体５１に設けられた突起部５１ａを棚桟６２ａと係合させることができ、棚部材６２に対するケース本体６０の移動を規制することができる。
【特許文献１】特開２００４−９７３２１号公報
【発明の開示】
【発明が解決しようとする課題】
【０００４】
ところが、上述した従来の取付具５０は、ケース本体６０に装着する際に、棚部材６２の下方において受入孔６０ａとアーム部５２との位置合わせを行う必要があるので、ケース本体６０が棚部材６２に載置された時の受入孔６０ａの位置によっては、この位置合わせや装着を手探りでせざるを得ず、作業性の面で問題があった。
【０００５】
また、ケース本体６０が棚部材６２に載置された状態で引き出し（図示せず）を開けると、収納物の自重による曲げモーメントでケース本体６０が棚部材６２から浮き上がろうとするため、取付具５０には受入孔６０ａから外れる方向の力が作用する。このため、撓み変形により受入孔６０ａと係合しているアーム部５２の復元力の低下などにより、使用中に取付具５０が不意に外れるおそれがあった。
【０００６】
そこで、本発明は、収納ケースを棚に容易且つ確実に取り付けることができる取付具及びこれを備えた収納ケースの提供を目的とする。
【課題を解決するための手段】
【０００７】
本発明の前記目的は、収納ケースを棚に取り付けるための取付具であって、収納ケースの後壁に形成された差込口に装着される装着部と、棚の外枠と係合する係合部とを備え、前記装着部は、可撓性材料からなり、帯状体がＵ字状に湾曲された形状を有し、一対の先端部の外表面に係止爪がそれぞれ設けられており、前記係合部は、前記装着部の外表面から起立するように設けられ、先端にフック部が形成されている取付具により達成される。
【０００８】
この取付具において、前記係合部は、前記装着部が前記差込口に装着された状態で、前記フック部の先端が上向きとなるように構成されていることが好ましい。
【０００９】
また、前記装着部は、外表面における一方の前記係止爪の後方に、該係止爪よりも高さが高い障壁部が設けられていることが好ましく、この場合、前記係合部は、前記装着部の外表面における他方の前記係止爪の後方に設けられていることが好ましい。
【００１０】
また、本発明の前記目的は、ケース本体に引き出し部がスライド収容される収納ケースであって、前記ケース本体は、後壁の中央下部に差込口が形成されており、上述した取付具が前記差込口に装着された収納ケースにより達成される。
【発明の効果】
【００１１】
本発明によれば、収納ケースを棚に容易且つ確実に取り付けることができる取付具を提供することができ、更に、これを備えた収納ケースを提供することができる。
【発明を実施するための最良の形態】
【００１２】
以下、本発明の実態形態について添付図面を参照して説明する。図１は、本発明の一実施形態に係る取付具を備えた収納ケースの斜視図である。
【００１３】
収納ケース１は、ケース本体２に引き出し部４がスライド収容される引き出し式の収納ケースである。ケース本体２の後壁６における中央下部には矩形状の差込口８が形成されており、この差込口８に取付具１０が着脱自在に装着されている。
【００１４】
取付具１０は、樹脂、ゴム、金属などの可撓性材料により形成され、図２に側面図で示すように、ケース本体２の差込口８に嵌入される装着部２０と、ケース本体２が載置される棚と係合する係合部３０とを備えている。
【００１５】
装着部２０は、帯状体がＵ字状に湾曲された形状を有しており、一対の先端部２１，２２の外表面に、それぞれ係止爪２３，２４が設けられている。係止爪２３，２４は、先端側から外方に張り出すように傾斜するガイド面２３ａ，２４ａと、ガイド面２３ａ，２４ａの後方側で装着部２０の表面に垂下する抜止面２３ｂ，２４ｂとを備えている。装着部２０の外表面における一方の係止爪２３の後方には、この係止爪２３よりも高さが高い障壁部２５が設けられている。
【００１６】
係合部３０は、装着部２０の外表面における他方の係止爪２２の後方から略垂直に起立するように設けられており、先端にフック部３２が形成されている。
【００１７】
この取付具１０は、装着部２０における一対の先端部２１，２２の間隔を狭めるように変形させた状態で、図２に示すケース本体２の差込口８に、係止爪２３，２４のガイド面２３ａ，２４ａを摺動させながら挿入すると、係止爪２３，２４がケース本体２の後壁６を乗り越えた時点で弾性変形していた装着部２０の形状が復元され、係止爪２３，２４の抜止面２３ｂ，２４ｂと障壁部２５又は係合部３０との間に後壁６が挟持された状態で、装着部２０の外表面が差込口８の開口縁に圧着固定される。これにより、フック部３２の先端が上向きの状態で、取付具１０がケース本体２に確実に装着される。取付具１０をケース本体２から取り外す場合には、装着部２０を、一対の先端部２１，２２の間隔を狭めるように変形させて引き抜くことにより、容易に取り外すことができる。
【００１８】
次に、上述した取付具１０が装着された収納ケース１を棚に取り付ける方法の一例として、メタルラックに取り付ける場合の手順を説明する。一般に、メタルラックは、多段に配置された複数の棚部材が四隅を支柱で支持された構成を有しており、図３は、１つの棚部材の後部側を部分的に断面図で示している。
【００１９】
図３に示すように、棚部材４０は、上下で平行に延びるように配置された２つの枠材４１，４２が補強材４３によって一体化された外枠体４４に、複数の縦ワイヤ４５及び横ワイヤ４６が互いに直交するように設けられた構成を有している。
【００２０】
収納ケース１を棚部材４０に取り付ける際には、図３（ａ）に示すように、ケース本体２を棚部材４０の載置面に対して手前側が高くなるように傾斜させて、取付具１０のフック部３２を、棚部材４０の後部側の外枠体４４における上側の枠材４１に係合させる。そして、図３（ｂ）に示すように、ケース本体２を棚部材４０に載置することにより、フック部３２と枠材４１との係合が維持され、棚部材４０への収納ケース１の取り付けが完了する。取付具１０を取り付け可能な棚は、必ずしも本実施形態の棚部材４０に限定されるものではなく、棚の外枠を構成する部材の形状に合わせてフック部３２の大きさを適宜定めることにより、他の棚にも取り付けることができる。
【００２１】
本実施形態の取付具１０を備えた収納ケース１によれば、棚に取り付ける際に、棚の外枠とフック部３２との係合を目視で確認しながら容易に行うことができ、係合後は収納ケース１をそのまま棚に載置するだけでよいので、取り付け作業を容易に行うことができる。
【００２２】
また、取付具１０はケース本体２に対して水平方向に装着されるため、収納ケース１を棚に設置した後、引き出し部４を開けた際の収納物の自重モーメントにより、ケース本体２に浮き上がろうとする上向きの力が作用しても、これによって取付具１０がケース本体２から外れるおそれがない、更に、フック部３２の先端が上向きの状態で棚の外枠と係合しているため、取付具１０が棚から外れるおそれもない。したがって、収納ケース１を棚に確実に取り付けることができる。
【図面の簡単な説明】
【００２３】
【図１】本発明の一実施形態に係る取付具を備えた収納ケースの斜視図である。
【図２】図１に示す取付具の側面図である。
【図３】図１に示す収納ケースを棚に取り付ける手順を説明するための要部断面図である。
【図４】従来の取付具を収納ケースに取り付ける方法を説明するための斜視図である。
【符号の説明】
【００２４】
１  収納ケース
２  ケース本体
４  引き出し部
６  後壁
８  差込口
１０  取付具
２０  装着部
２１，２２  先端部
２３，２４  係止爪
２５  障壁部
３０  係合部
３２  フック部
４０  棚部材
４１，４２  枠材
４４  外枠体
【図１】
2006326151.tif 000003
【図２】
2006326151.tif 000004
【図３】
2006326151.tif 000005
【図４】
2006326151.tif 000006